(57)【特許請求の範囲】
【請求項１】
車両に取り付ける車載工事標識であって、
前記車両の車幅方向に取り付けられるフレームと、
前記フレームに取り付けられ、巻取り収納可能なロールスクリーンを備え、
前記ロールスクリーンには通行可能な方向を示す矢印が描かれており、前記ロールスクリーンは前記フレームにおいて前記矢印の示す方に寄せて取り付けられる
ことを特徴とする車載工事標識。
【請求項２】
前記ロールスクリーンの下端の両端を結ぶワイヤーを備える
ことを特徴とする請求項１に記載の車載工事標識。
【請求項３】
収納状態の前記ロールスクリーンを覆うカバーを備え、
前記カバーは、前記ロールスクリーンを巻き取る部材の径よりも狭い幅の取り出し口を有する
ことを特徴とする請求項１または２に記載の車載工事標識。
【請求項４】
前記フレームはコの字型であって、前記フレームを立てた状態でコの字型の両端のそれぞれを別々の側アオリに取り付けられ、
前記ロールスクリーンはコの字型の車幅方向に延びる部分に取り付けられる
ことを特徴とする請求項１ないし３のいずれかに記載の車載工事標識。
【発明の詳細な説明】
【技術分野】
【０００１】
本発明は、車載工事標識に関する。
【背景技術】
【０００２】
通信線の保守点検作業においては安全に作業をすることが望まれている。架空ケーブルの保守およびマンホール内保守の場合、道路上で作業を行うことがある。この場合、作業車両を道路の端に寄せて駐車し、作業車両および作業場所を安全柵を設置したうえで作業を開始する。安全柵は、例えばカラーコーンとコーンバーを用いて構成したものであり、コーンバーに工事標識を取り付ける。
【先行技術文献】
【非特許文献】
【０００３】
【非特許文献１】“工事中看板”、［online］、東京標識株式会社、［2019年10月11日検索］、インターネット〈 URL：http://tokyohyoshiki.co.jp/product09.html〉
【発明の概要】
【発明が解決しようとする課題】
【０００４】
工事現場では安全柵を設置しているが、毎年、作業車両に自転車や自動車が衝突する飛び込まれ事故が数件発生している。
【０００５】
安全柵の設置の際は、まず作業車両からカラーコーンやコーンバーを取り出し、カラーコーンを並べてコーンバーを取り付け、コーンバーに工事標識を設置する。工事標識の設置に時間がかかると、ドライバーへの注意喚起が遅れてしまう。交通量の多い道路の工事では、迅速に工事標識を設置することが、作業者の安全性の観点から望まれている。
【０００６】
また、工事標識のサイズが小さいと、遠くから視認しにくいという問題があった。遠くから視認できる目立つ工事標識を設置できれば、早めにドライバーに対して注意喚起できる。しかしながら、工事標識のサイズを大きくすると、工事標識を設置する際に時間がかかるという問題があった。
【０００７】
本発明は、上記に鑑みてなされたものであり、迅速に設置でき、視認性のよい工事標識を提供することを目的とする。
【課題を解決するための手段】
【０００８】
本発明の一態様の車載工事標識は、車両に取り付ける車載工事標識であって、前記車両の車幅方向に取り付けられるフレームと、前記フレームに取り付けられ、巻取り収納可能なロールスクリーンを備え、前記ロールスクリーンには通行可能な方向を示す矢印が描かれており、前記ロールスクリーンは前記フレームにおいて前記矢印の示す方に寄せて取り付けられることを特徴とする。
【発明の効果】
【０００９】
本発明によれば、迅速に設置でき、視認性のよい工事標識を提供することができる。
【図面の簡単な説明】
【００１０】
【図１】図１は、本実施形態の車載工事標識の使用中の様子を示す図である。
【図２】図２は、本実施形態の車載工事標識の収納時の様子を示す図である。
【図３】図３は、本実施形態の車載工事標識のカバーを外した様子を示す図である。
【図４】図４は、カバーの断面を示す図である。
【発明を実施するための形態】
【００１１】
以下、本発明の実施の形態について図面を用いて説明する。
【００１２】
図１は、本実施形態の車載工事標識の使用中の様子を示す図である。図１は、車両を後方から見た図である。本実施形態の車載工事標識は、車両の後部の車外に取り付けられる。車両は、例えば、工事現場の手前に、車道の左側に寄せられて停車される。
【００１３】
図１に示す車載工事標識は、ロールスクリーン１０とフレーム２０を備える。
【００１４】
ロールスクリーン１０は、路上を通行する歩行者、自転車、および自動車のドライバーに工事中であることを知らせるための工事標識である。例えば、工事中の文字と通行可能な方向を示す矢印を記載する。ロールスクリーン１０の背景を黄色の蛍光色とし、矢印の色を赤色にすることで、注意を喚起できる。ロールスクリーン１０に記載する内容および色は、上記に限らず、任意に変更してもよい。ロールスクリーン１０に反射素材を用いてもよい。また、ロールスクリーン１０に防水素材を用いたり、ロールスクリーン１０に撥水スプレーを吹きかけたりすることで、雨や雪に対応できる。
【００１５】
フレーム２０は、ロールスクリーン１０を車両に固定するためのコの字型の金属部材である。フレーム２０のコの字型の両端には、フレーム２０を車両に固定するための固定部２１Ａ，２１Ｂを備える。フレーム２０のコの字型の両サイドの棒を立てた状態で、固定部２１Ａ，２１Ｂで車両のサイドアオリ５１のそれぞれを挟み、車両の後部にフレーム２０を車幅方向に固定する。車幅方向とは、車両の進行方向に直交する方向である。固定部２１Ａ，２１Ｂは、サイドアオリ５１の上面と外側に接触する部分にゴム２３を備える。固定部２１Ａ，２１Ｂは、サイドアオリ５１の内側からゴム足付きボルトなどによりサイドアオリ５１を挟んでフレーム２０を車両に固定する。
【００１６】
フレーム２０のコの字型の横棒に沿ってロールスクリーン１０が配置される。フレーム２０の高さは、フレーム２０を車両に固定したときに、ロールスクリーン１０が歩行者やドライバーの目線の高さにくる高さであればよい。フレーム２０の幅は、車両のサイドアオリ５１間の長さであればよい。車両の種類によってサイドアオリ５１間の長さが異なるので、フレーム２０に振り出し構造２０Ａを備えて、フレーム２０の幅を可変としてもよい。
【００１７】
なお、ロールスクリーン１０は、フレーム２０の一方（車両を後方から見たときの右側）に寄せた位置に配置される。これにより、遠くの位置から、工事中の車両をどの程度避けなければならないのか容易に把握することができる。
【００１８】
引き出されたロールスクリーン１０は、ロールスクリーン１０の下端のウエイトバー１２に取り付けたワイヤー１１により車両に固定される。ワイヤー１１をロールスクリーン１０の幅よりも長くしておき、ワイヤー１１の両端のそれぞれをウエイトバー１２の両端を結ぶ。ワイヤー１１を引けば、ロールスクリーン１０が引き出される。ロールスクリーン１０を引き出した状態で、ワイヤー１１を車両に固定する。例えば、車両後部下の複数個所にロープ（ワイヤーでもよい）を取り付けておき、そのロープのそれぞれにワイヤー１１をカラビナで固定する。ウエイトバー１２の両端のそれぞれが車両に固定されるとよい。ウエイトバー１２の両端を結ぶワイヤー１１を備えることで、ロールスクリーン１０の下端を車両にしっかりと固定できるので、ロールスクリーン１０が強風に耐える効果がある。
【００１９】
収納状態のロールスクリーン１０を覆うカバー３１を取り付けてもよい。フレーム２０にカバー３１を取り付けるための支持部３３を備えて、支持部３３にカバー３１を固定する。
【００２０】
図２は、本実施形態の車載工事標識の収納時の様子を示す図である。図２に示すように、本実施形態の車載工事標識は、ロールスクリーン１０をカバー３１内に収納することができる。車両は、ロールスクリーン１０を巻取り収納した状態で走行可能である。ロールスクリーン１０を収納した状態では、ロールスクリーン１０が邪魔にならないので、リヤアオリ５２を開けることができ、荷台から荷物を取り出すことも容易である。図１，２では、車両の荷台に何も載せていないが、高所作業のためのバケットを載せた車両に本実施形態の車載工事標識を取り付けてもよい。
【００２１】
固定部２１Ａ，２１Ｂは、金属部材をコの字型にしたものである。前述したように、固定部２１Ａ，２１Ｂは、サイドアオリ５１の上面と外側に接触する部分にゴム２３を備える。また、固定部２１Ａ，２１Ｂは、サイドアオリ５１の内側に配置される金属部材にゴム足付きボルト２２を備える。本実施形態では、固定部２１Ａ，２１Ｂのそれぞれに４本のゴム足付きボルト２２を２列で配置した。ゴム足付きボルト２２は、先端にゴム足２２Ａがついたボルトである。固定部２１Ａ，２１Ｂの奥行き（サイドアオリ５１に沿った方向）は、フレーム２０をしっかりと立てて取り付けられる長さにするとよい。
【００２２】
車載工事標識を取り付ける際、まず、フレーム２０の横幅が車両の横幅に合うように振り出し構造２０Ａを調整する。続いて、固定部２１Ａ，２１Ｂそれぞれの２つの金属部材の間にサイドアオリ５１を挟みこむ。固定部２１Ａ，２１Ｂの上部の金属部材の内側をサイドアオリ５１の上面に密接させる。ゴム足２２Ａと外側の金属部材のゴム２３とでサイドアオリ５１をしっかりと挟むようにゴム足付きボルト２２を締める。
【００２３】
なお、バンなどのサイドアオリ５１がない車両については、ルーフキャリアにフレーム２０を固定してもよい。この場合、固定部２１Ａ，２１Ｂをルーフキャリアにしっかりと固定できる形状とする。フレーム２０をルーフに固定する場合は、ロールスクリーン１０がルーフから車両の下部までを覆う程度となるように、フレーム２０の高さを低くしてもよい。
【００２４】
次に、本実施形態の車載工事標識のロールスクリーンとカバーについて説明する。
【００２５】
図３は、本実施形態の車載工事標識のカバー３１を外した様子を示す図である。
【００２６】
ロールスクリーン１０は、フレーム２０に取り付けられた背面板３２に固定される。背面板３２は、ロールスクリーン１０の幅よりも少し長い、Ｌ字型に折り曲げられた金属板である。背面板３２は、図上でフレーム２０の右側に寄せた位置に固定されている。
【００２７】
ロールスクリーン１０は、収納時、工事標識が描かれた面を内側にして巻取りパイプ１３に巻き取られる。巻取りパイプ１３は、保持部１４に回転可能に保持される。保持部１４が背面板３２のＬ字型の内側に固定される。
【００２８】
巻取りパイプ１３の筒の内側にスプリングを備えて、ロールスクリーン１０が自動で巻き取られるようにしてもよい。例えば、ロールスクリーン１０に取り付けられたワイヤー１１を下に引くことで、巻取りパイプ１３に巻き取られたロールスクリーン１０が広げられる。ワイヤー１１から手を離すと、ロールスクリーン１０が広げられたままの状態で停止する。ロールスクリーン１０が広げられた状態で、ワイヤー１１を軽く下に引いて手を離すと巻取りパイプ１３がロールスクリーン１０を巻き上げる。
【００２９】
ロールスクリーン１０、巻取りパイプ１３、および保持部１４には、一般的なロールスクリーンの構造を用いることができる。ロールスクリーン１０を自動で巻き取る機構を備えずに、チェーンなどを用いて手動でロールスクリーン１０を巻き取るようにしてもよい。
【００３０】
図３では、工事標識をロールスクリーン１０の内側に描き、ロールスクリーン１０の内側面が表示されるようにロールスクリーン１０を背面板３２に取り付けたが、ロールスクリーン１０の外側に工事標識を描き、ロールスクリーン１０の外側面が表示されるようにロールスクリーン１０を背面板３２に取り付けてもよいし、ロールスクリーン１０の両面に工事標識を描いてもよい。また、ロールスクリーン１０を保持部１４ごと交換できるようにして、工事の内容に応じたロールスクリーン１０を背面板３２に取り付けられるようにしてもよい。
【００３１】
カバー３１は、ロールスクリーン１０の上面、前面、および側面を覆う部材である。カバー３１は、フレーム２０の上面に固定された支持部３３にねじ止めされる。
【００３２】
カバー３１の下面は、ロールスクリーン１０が引き出せるように開口されている。図４の断面図に示すように、本実施形態では、カバー３１の下面と背面板３２との間にロールスクリーン１０を引き出すための取り出し口３４を設けた。カバー３１内には、ロールスクリーン１０とウエイトバー１２が収納される。ワイヤー１１を取り出し口３４から露出させる。
【００３３】
取り出し口３４の幅は、ウエイトバー１２の径よりも広く、巻取りパイプ１３の径よりも狭くしている。これにより、ロールスクリーン１０を引き出した際に、巻取りパイプ１３が保持部１４から外れても、巻取りパイプ１３が道路上に転げ落ちることがなくなる。
【００３４】
次に、本実施形態の車載工事標識を用いたときの安全柵の設置について説明する。
【００３５】
まず、本実施形態の車載工事標識を取り付けた車両を工事現場のそばに停車させる。例えば、マンホール内で工事を行う場合、マンホールの手前に車両を停車させる。なお、車載工事標識は、ロールスクリーン１０が巻き取られて収納された状態である。車両は、車載工事標識を固定し、ロールスクリーン１０を収納した状態で走行可能である。
【００３６】
続いて、作業者が車両から降りて、車両の後方に移動し、ワイヤー１１を引いてロールスクリーン１０を引き出す。これにより、工事標識が設置される。ワイヤー１１から手を離しても、ロールスクリーン１０は引き出されたまま停止する。風などによってロールスクリーン１０がめくれたり、ロールスクリーン１０が勝手に巻き取られたりしないように、ワイヤー１１を車両に固定する。
【００３７】
その後、作業者は、車両からカラーコーンおよびコーンバーを取り出して、安全柵を設置する。安全柵の設置時には、工事標識が掲げられているので、工事現場に近づく自動車のドライバーへ注意喚起でき、飛び込まれ事故の発生を抑制できる。
【００３８】
安全柵の設置が終わると、工事を開始する。
【００３９】
工事終了後、安全柵を片付ける。ワイヤー１１の固定を解除し、ワイヤー１１を軽く下に引くことで、ロールスクリーン１０が巻き取られて収納される。
【００４０】
以上説明したように、本実施形態によれば、車載工事標識が、車両の後部の車外に車幅方向に取り付けられるフレーム２０と、フレームに取り付けられ、巻取り収納可能なロールスクリーン１０を備えることにより、ロールスクリーン１０を引き出すだけで、迅速に工事標識を設置できる。また、ロールスクリーン１０を引き出すだけでよいので、工事標識であるロールスクリーン１０を大きくしても設置にかかる時間はほとんど変わらないので、視認性のよい工事標識を提供できる。
【００４１】
本実施形態によれば、ロールスクリーン１０の下端のウエイトバー１２の両端を結ぶワイヤー１１を備えることで、ロールスクリーン１０の下端を車両に固定できるので、強風などにより、ロールスクリーン１０がめくれたり、ロールスクリーン１０が巻き取られたりすることを抑止できる。
【００４２】
本実施形態によれば、収納状態のロールスクリーン１０を覆うカバー３１を備え、カバー３１は、ロールスクリーン１０を巻き取る巻取りパイプ１３の径よりも幅の狭い取り出し口３４を備えることで、車両の走行中やロールスクリーン１０を引っ張ったときに、保持部１４から巻取りパイプ１３が外れてしまっても、ロールスクリーン１０および巻取りパイプ１３が路上に放り出されることがない。
【００４３】
本実施形態によれば、ロールスクリーン１０をフレーム２０の一方に寄せて取り付けることで、どこまで道路を占拠しているのかを遠くから認識できる。例えば、複数の走行車線がある道路で工事を行うとき、工事現場を通過する自動車のドライバーは、車線変更する必要があるのか、少し避ければ通過できるのかを遠くから認識できる。
【符号の説明】
【００４４】
１０…ロールスクリーン
１１…ワイヤー
１２…ウエイトバー
１３…巻取りパイプ
１４…保持部
２０…フレーム
２０Ａ…振り出し構造
２１Ａ，２１Ｂ…固定部
２２…ボルト
２２Ａ…ゴム足
２３…ゴム
３１…カバー
３２…背面板
３３…支持部
３４…取り出し口
【図１】
0006906032.tif 000002
【図２】
0006906032.tif 000003
【図３】
0006906032.tif 000004
【図４】
0006906032.tif 000005